(57)【要約】【課題】人手を要しないで計数できる持運び自由なデジタルカウンターを提供する。【解決手段】人が通過する光の変化の量を電気信号に変換するための光センサ４がリレー基板６に接続され、前記リレー基板６は計数部９と接続されているので、前記計数部９のカウンター表示部１０に人数を表示できる。【選択図】  図６
2004234079.tif 000002
【特許請求の範囲】
【請求項１】
カウンター本体の所定箇所に電磁波を受光するための受光窓が、前記受光窓近傍に受光を電気信号に変換するための光センサがそれぞれ設けられ、前記光センサは増幅部、検出部、ワンショットタイマ部、リレードライブ部及びリレーが配設されたカウンター本体内のリレー基板に接続され、前記リレー基板は計数部と、スイッチを介して電源とそれぞれ接続され、
前記計数部のカウンター表示部がカウンター本体の所定箇所に取付けられたことを特徴とするカウンター。
【請求項２】
前記スイッチのオンオフを表示するための表示ランプがカウンター本体の所定箇所に取付けられている請求項１に記載のカウンター。
【請求項３】
前記電源は、乾電池等より構成されている請求項１または２に記載のカウンター。
【発明の詳細な説明】
【０００１】
【発明の属する技術分野】
本発明は、カウンターに係り、詳しくは、通過人数等を自動的に簡単に計数できる技術に関する。
【０００２】
【従来の技術】
通常、通過人数等を調査する場合に、アルバイト等の人手によりアナログ計数器を使って人数をカウントする方法が行われるのが一般的である。
【０００３】
近年、この種の調査が増加し、人手を必要とするために人件費が高騰し、調査費がコスト高になるばかりか、人手によりアナログ計数器でカウントするために押しボタンの押し忘れや押しミス等が発生し、正確な計数が困難であった。
【０００４】
【発明が解決しようとする課題】
本発明は、このような問題点に着目してなされたもので、明暗の変化を光センサで受光し、光センサに接続された計数部で計数し、この計数を表示部に表示することにより人手を必要としない持運び自由なカウンターを提供することを目的とする。
【０００５】
【課題を解決するための手段】
上記課題を解決するために、本発明のカウンターは、カウンター本体の所定箇所に電磁波を受光するための受光窓が、前記受光窓近傍に受光を電気信号に変換するための光センサがそれぞれ設けられ、前記光センサは増幅部、検出部、ワンショットタイマ部、リレードライブ部及びリレーが配設されたカウンター本体内のリレー基板に接続され、前記リレー基板は計数部と、スイッチを介して電源とそれぞれ接続され、
前記計数部のカウンター表示部がカウンター本体の所定箇所に取付けられたことを特徴としている。
この特徴によれば、人や物が接近したり、通過する光の変化の量をとらえて計数に変換し、カウンター表示部に表示できるように構成されているので、このカウンターを調査すべき箇所に設置することにより人手を要せず正確に通過する人数等を計数でき、人件費の大幅なコストダウンが期待できる。
【０００６】
本発明のカウンターは、前記スイッチのオンオフを表示するための表示ランプがカウンター本体の所定箇所に取付けられていることが好ましい。
このようにすれば、表示ランプが点灯しているかどうかで調査可能かどうか確認できる。
【０００７】
本発明のカウンターは、前記電源は、乾電池等より構成されていることが好ましい。
このようにすれば、本発明のカウンターをどこにでも自由に持運び設置できる。
【０００８】
【発明の実施の形態】
以下、本発明の実施例を図面に基づいて説明する。
【０００９】
図１〜図６は、本発明の一実施形態を示すもので、図１は本発明に係るカウンターの正面図、図２は裏面図、図３は側面図、図４は平面図、図５は底面図であり、図６は本発明に係るブロック図である。
【００１０】
図１に示す符号１は、カウンター本体を示し、このカウンター本体１は、アルミ製、鉄製等の金属製または合成樹脂製で一体に成型されている。
このカウンター本体１の前面２の所定箇所には電磁波を受光するための受光窓３が設けられている。
【００１１】
前記電磁波の波長は、可視光線よりも長く、マイクロ波よりも短い。一般に赤外線といわれており、この赤外線は、温度をもつ物体すべてから、その温度に応じた波長分布をもって、自然に放射されるという特徴をもっている。
【００１２】
赤外線と総称される電磁波の波長範囲は、０．７６μｍから１ｍｍ程度である。
また、カウンター本体１の内部の前記受光窓３近傍に受光を電気信号に変換するための光センサ４が設けられている。
【００１３】
前記光センサ４は、カウンター本体１内の底部５に設けられたリレー基板６に接続されている。前記リレー基板６については後述する。
【００１４】
前記リレー基板６は計数部９と電気的に接続され、前記計数部９のカウンター表示部１０はカウンター本体１の後面１１の所定箇所に設けられているが、必ずしも受光窓３及びカウンター表示部１０をカウンター本体１の前面２及び後面１１に限定する必要はなく、カウンター本体１の光を受光しやすい所に受光窓３を設けることは可能であり、カウンター表示部１０についても表示が見やすい所に設けることは可能である。
また、１８は、カウンター表示部１０の表示をクリアーするための押しボタンである。
【００１５】
スイッチ１２はカウンター本体１の所定箇所に設けられており、プッシュ式、レバー式等市販のオンオフスイッチであればよい。
【００１６】
前記スイッチ１２はリレー基板６と安定化電源７（例えば乾電池）に接続されている。
また、スイッチ１２のオンオフを表示するための表示ランプ１４は市販のカラーランプを使用し、カウンター本体１の所定箇所に取付けられている。
更に、前記受光窓３と光センサ４近傍には、光センサ４の受光量を調整するための合成樹脂製またはセロハン等の紙製のフィルター１５が取外し自在または接着剤等により固定して取付けることも可能である。
【００１７】
前記リレー基板６について図６のブロック図で詳細に説明すると、
【００１８】
光センサー４は光量の変化をＣｄｓ（硫化カドミウムセル）でとらえられる。
とらえられた光量の変化は増幅部８で増幅される。＋変化（暗→明の変化）と−変化（明→暗の変化）検出部１３は、入力部の電圧のしきい値を抵抗で分圧することにより＋，−変化をとらえ、光量の変化を検出しパルスを送信する。
【００１９】
次に送信されたパルスはワンショットタイマ部１４で１回の検出時間を例えば３〜５秒に設定すると、３〜５秒に１回のみ受信したパルスをリレードライブ部１６に送信する。
【００２０】
前記リレードライブ部１６はリレー部１７を介して例えばＬＥＤの表示ランプ１４を点灯する。
【００２１】
一方、リレードライブ部１６のパルスはリレー１７と電気的に接続された計数部９で計数されてカウンター表示部１０に計数として表示する。
【００２２】
また、乾電池等からなる安定化電源７は電源スイッチ１２を介してリレー基板６に接続されているので、電源スイッチ１２をオンすることによりリレー基板６が作動し、光センサ４が人物等の動きを光量の変化としてとらえる状態となる。
更に、リレー基板６に接続された光センサ４の感度調整ダイヤル１９がカウンター本体１の後面１１に設けられており、前記ダイヤル１９の回動により感度を自由に調整できる。
【００２３】
以上、本発明の実施例を図面により説明してきたが、具体的な構成はこれら実施例に限られるものではなく、本発明の要旨を逸脱しない範囲における変更や追加があっても本発明に含まれる。
【００２４】
【発明の効果】
本発明によれば、次のような効果が得られる。
【００２５】
（ａ）請求項１に記載の発明によれば、人や物が接近したり、通過する光の変化の量をとらえて計数に変換し、カウンター表示部に表示できるように構成されているので、このカウンターを調査すべき箇所に設置することにより人手を要せず正確に通過する人数等を計数でき、人件費の大幅なコストダウンが期待できる。
【００２６】
（ｂ）請求項２に記載の発明によれば、表示ランプが点灯しているかどうかで調査可能かどうか確認できる。
【００２７】
（ｃ）請求項３に記載の発明によれば、電源として乾電池を使用するので、本発明のカウンターをどこにでも自由に持運び設置できる。
【図面の簡単な説明】
【図１】本発明に係るカウンターの正面図である。
【図２】本発明に係るカウンターの裏面図である。
【図３】本発明に係るカウンターの側面図である。
【図４】本発明に係るカウンターの平面図である。
【図５】本発明に係るカウンターの底面図である。
【図６】本発明に係るブロック図である。
【符号の説明】
１                カウンター本体
２                前面
３                受光窓
４                光センサ
５                底部
６                リレー基板
７                安定化電源
８                増幅部
９                計数部
１０              カウンター表示部
１１              後面
１２              スイッチ
１３              検出部
１４              ワンショットタイマ部
１５              フィルター
１６              リレードライブ部
１７              リレー部
１８              押しボタン
１９              感度調整ダイヤル
【図１】
2004234079.tif 000003
【図２】
2004234079.tif 000004
【図３】
2004234079.tif 000005
【図４】
2004234079.tif 000006
【図５】
2004234079.tif 000007
【図６】
2004234079.tif 000008